(57)【要約】      （修正有）【課題】十分な防寒性を確保し、指袋部の紛失も招来せず、使い勝手の良い、指先露出可能な手袋を提供する。【解決手段】指袋部が、五指夫々に対して独立して形成される手袋において、各指袋部（１）の第一関節対応位置近傍、若しくは拇指の指袋部（１ａ）及び食指における指袋部（１ｂ）における第一関節対応位置近傍であって、当該指袋部の掌側から左右側部まで指周方向へ連続する切込みを形成した。【選択図】図７
0003102927.tif 000002
【実用新案登録請求の範囲】
【請求項１】
指袋部が、五指夫々に対して独立して形成される手袋において、
各指袋部（１）の第一関節対応位置近傍であって、当該指袋部の掌側から左右側部まで指周方向へ連続する切込み（２）を形成したことを特徴とする手袋。
【請求項２】
指袋部が、五指夫々に対して独立して形成される手袋において、
拇指の指袋部（１ａ）及び食指における指袋部（１ｂ）における第一関節対応位置近傍であって、当該拇指の指袋部（１ａ）及び食指の指袋部（１ｂ）における掌側から左右側部まで指周方向へ連続する切込み（２）を形成したことを特徴とする手袋。
【請求項３】
指袋部が、五指夫々に対して独立して形成される手袋において、
各指袋部（１）の第一関節対応位置近傍であって、当該指袋部（１）の甲側から左右側部まで指周方向へ連続する切込み（２）を形成したことを特徴とする手袋。
【請求項４】
指袋部が、五指夫々に対して独立して形成される手袋において、
拇指の指袋部（１ａ）及び食指における指袋部（１ｂ）における第一関節対応位置近傍であって、当該拇指の指袋部（１ａ）及び食指の指袋部（１ｂ）における甲側から左右側部まで指周方向へ連続する切込み（２）を形成したことを特徴とする手袋。
【請求項５】
指袋部（１）の先端と、当該手袋の第一間接対応位置から甲部若しくは掌部までの他の部位とに相互に係脱可能となる係止具（３）（４）を設けたことを特徴とする請求項１、２、３又は４記載の手袋。
【請求項６】
指袋の左右いずれかの側部に、指の長手方向に平行する切込み（２ｂ）を形成するとともに、該切込み（２ｂ）の両端から指周方向へ切込み（２ｃ）を形成し、該切込み（２ｂ）（２ｃ）によって形成される二つの舌片（５ａ）（５ｂ）のうち一方の舌片（５ｂ）縁から係止具（４ａ）を延設し、他方の舌片（５ａ）上に前記係止具（４ａ）に対応する係止具（３ａ）を設けたことを特徴とする手袋。
【請求項７】
係止具（３）（４）は、一方が雄面ファスナー（４ｂ）で、他方が起毛生地若しくはパイル生地（３ｂ）としたことを特徴とする請求項５又は６記載の手袋。
【考案の詳細な説明】
【技術分野】
【０００１】
本考案は、着用状態で指先を露出することができる手袋に関するものである。
【背景技術】
【０００２】
従来、手袋の親指部分のみが切断されており、必要に応じ手袋の手のひら部に、手のひらが露出する孔部を形成した防寒機能を備えた携帯電話用手袋（例えば、特許文献１参照。）や、指袋部が切断された手袋本体と、該手袋本体から裸出する指に着脱自在な保護カバー体とを具備してなることを特徴とする手袋（例えば、特許文献２参照。）等が公知である。
【０００３】
【特許文献１】実登３０８１３６８号公報
【特許文献２】特開平１１−２４７００９号公報
【考案の開示】
【考案が解決しようとする課題】
【０００４】
上記した手袋のうち、前者の携帯電話用手袋は、基本的に親指のみを露出する構成であるが、携帯電話を保持してボタンを押す操作に対しては十分な機能を発揮するものの、当該携帯電話をポケットから取り出す際や、持ち運ぶ際には、他の指がすべて被覆されていることから把持する感覚が掴みづらく、当該構成のみでは携帯電話を掴み損ねて落下させる虞がある。このため、前記携帯電話用手袋は、手のひらが大きく露出する構成を開示しているが、当該構成では防寒性能を著しく損なうのは明らかである。
【０００５】
更に、前記携帯電話用手袋は、露出した親指は何らの防寒手段も備えていないため、着用者は親指が極端に冷やされることに耐え続けなければならない欠点があり、結局十分な防寒性能を得ることができないのである。
【０００６】
次に、上記した手袋のうち、後者となる手袋は主として釣りに使用される手袋であり、前記したように、指袋部が切断された手袋本体と、該手袋本体から裸出する指に着脱自在な保護カバー体とを具備してなる手袋であり、更に、手袋本体には、前記保護カバー体を収納するためのポケットや係着させるための面ファスナーが形成されることが開示されている。
【０００７】
しかしながら、当該手袋は、指袋部が手袋本体から完全に離脱する構成であることから、指袋部の紛失を非常に招来しやすい欠点がある。
【０００８】
そして、この欠点を解消する手段として、ポケットを形成したり、更にポケットを各指袋部ごとに収納するように区切ったり、或いは雌雄面ファスナー手段を設けて甲部に係着させる等の記載が開示されているが、当該構成をしても指袋部の紛失の可能性は依然として解消するには至っておらず、また、前記種々の紛失対策手段によって指袋部の管理が非常に煩雑となる欠点も生じている。
【０００９】
本考案は、以上の事情に鑑みてなされたものであり、十分な防寒性を確保し、指袋部の紛失も招来せず、使い勝手の良い、指先露出可能な手袋を提供することを課題とする。
【課題を解決するための手段】
【００１０】
指袋部が、五指夫々に対して独立して形成される手袋において、各指袋部の第一関節対応位置近傍であって、指袋部の掌側から左右側部まで指周方向へ連続する切込みを形成したことを特徴とする手袋、及び、各指袋部の第一関節対応位置近傍であって、当該指袋部の甲側から左右側部まで指周方向へ連続する切込みを形成したことを特徴とする手袋を、基本とする。
【考案の効果】
【００１１】
本考案によれば、各指袋部の第一関節対応位置近傍であって、当該指袋部の掌側から左右側部まで指周方向へ連続する切込みを形成した構成、若しくは、各指袋部の第一関節対応位置近傍であって、当該指袋部の甲側から左右側部まで指周方向へ連続する切込みを形成した構成によって、必要な場合には指を露出することができるとともに、指を露出しない場合には、開口しない切込みによって、指は略完全に外部から遮断されることから、優れた防寒性を発揮することができる。
【００１２】
また、拇指及び食指の指袋部にのみ前記切込みを形成することによって、最低限の指先の緻密な把持機能を確保するとともに、より一層優れた防寒性を得ることができる。
【００１３】
更に、指袋部の先端と、当該手袋の第一間接対応位置から甲部若しくは掌部までの他の部位とに相互に係脱可能となる係止具を設けたことによって、指先露出時に指袋部が不用意に遊動することを防止することができる。
【００１４】
また、係止具は、一方が雄面ファスナーで、他方が起毛生地若しくはパイル生地とした場合には、外見上係止具が雄面ファスナーのみとなり、係止具を目立たせないことから、当該手袋の外観を良好とするとともに、着用時の指の動きも、より軽快なものとすることができる。
【００１５】
一方、指袋の左右いずれかの側部に、指の長手方向に平行する切込みを形成するとともに、該切込みの両端から指周方向へ切込みを形成し、該切込みによって形成される二つの舌片のうち一方の縁から係止具を延設し、他方の舌片上に前記係止具に対応する係止具を設けた構成とした場合には、係止具の係合を解除するのみで、側部から簡単に指を露出することができる。
【考案を実施するための最良の形態】
【００１６】
本考案は、指先が露出可能であるとともに、指先を露出しない場合には、開口しない切込みを指袋部に形成した構成によって優れた防寒性を発揮する手袋である。
【実施例】
【００１７】
（実施例に係る手袋の構成）
図１は本考案の実施例１に係る手袋を示す正面図、図２は同実施例１に係る手袋を示す左側面図、図３は本考案の実施例２に係る手袋を示す左側面図、図４は本考案の実施例３に係る手袋を示す左側面図、図５は本考案の実施例４に係る手袋を示す正面図、図６は本考案の実施例５に係る手袋を示す左側面図及び開放状態における一部拡大説明図、図７は前記実施例４に係る手袋から指先を露出した状態を示す正面図である。
【００１８】
本考案の実施例１に係る手袋は、図１及び図２に示すように、主として合成皮革からなる掌側生地と甲側生地とを夫々の表面が対向するように重合し、双方の縁部を縫合した後表裏を反転させて得られる構成の手袋である。そして、当該構成によって形成される独立した五指の各指袋部１には、切込み２が形成されている。
【００１９】
当該切込み２は、第一関節と近傍位置となる掌側生地に対して、指周方向に亘って、当該指袋部１の掌側から左右側部１０まで連続して形成されている。そして、切込み２の縁部相互は当接する状態に形成されている。これによって、基本的に通常状態において切込み２は閉塞状態にあり、更に手袋が自然と手の掌側へ湾曲した形状となることから、当該切込み２の閉塞状態はより確保されるものとなっている。
【００２０】
以上に示した実施例１に係る手袋は、指先を露出しない場合、通常の手袋と全く同様に着用することができ、着用状態から指先を露出する際には、指袋部１の先端を手袋脱着方向へ引くとともに当該露出させたい指をやや曲げて、切込み２から外部へ露出させることによって行なう。
【００２１】
次に、本考案の実施例２に係る手袋は、図３に示すように、基本的に実施例１に係る手袋の構成に、係合具３、４に相当する雌面ファスナー３ｃ及び雄面ファスナー４ｃを追加した構成である。
具体的には、本実施例２に係る手袋は、各指袋部１の甲側には夫々雄面ファスナー４ｃが取付けられており、指袋部１の第一関節と第二関節の間となる甲側には、前記雄面ファスナー４ｃと係脱可能な雌面ファスナー３ｃが縫着されている。
【００２２】
指袋部１の甲側のうち切込み２に対応する位置を基準として指袋部１を折返すことによって、指袋部１の甲側先端に設けた雄面ファスナー４ｃと、甲側の第一関節から第二関節の間に設けた雌面ファスナー３ｃとが係止される。当該構成によって、指袋部１が不用意に遊動することや、指袋部１が他物に引っ掛かる虞を防止するとともに、外観体裁を向上することができるのである。
【００２３】
尚、上記実施例２においては、指袋部１の甲側先端に雄面ファスナー、甲部に雌面ファスナー３ｃを設けた構成であるが、実施例３として図４に例示するように、雌面ファスナー３ｃに代えてパイル生地３ｂや起毛生地を用いることもできる。
【００２４】
図５に示すように、本考案の実施例４に係る手袋は、指袋部１が、五指夫々に対して独立して形成される手袋において、拇指の指袋部１ａ及び食指における指袋部１ｂにおける第一関節対応位置近傍であって、当該拇指の指袋部１ａ及び食指の指袋部１ｂにおける甲側から左右両側部１０まで指周方向へ連続する切込み２を形成したものである。即ち、実施例１に係る手袋が掌側から左右側部１０まで指周方向へ連続する切込み２を設けているのに対して、本実施例４に係る手袋は、切込み２の形成される向きが逆転したものである。当該構成によって、図７に示すように、指を露出した状態においては、指袋部先端は、掌側へ傾倒する構成である。
【００２５】
本実施例４に係る手袋は、例えば、指を露出して行なう作業が指を狭い箇所に突っ込んで行なう場合等、手の甲側へ指袋部があると障害となる場合等に適する。
【００２６】
上記実施例４においては、拇指７０の指袋部１ａ及び食指７１における指袋部１ｂのみについて切込み２を形成しているが、実施例１と同様に、五指全ての指袋部１について切込み２を形成することもできるし、或いは、指袋部１の掌側に雌雄の係止具３、４を設けることもできる。
【００２７】
また、本考案の実施例５に係る手袋は、図６に示すように、指袋部１の左側部に、指の長手方向に平行する切込み２ｂを形成するとともに、該切込み２ｂの両端から指周方向へ切込み２ｃを形成し、該切込み２ｃによって形成される二つの舌片５ａ、５ｂのうち一方の舌片５ｂの縁に雄面ファスナー４ａを設け、他方の舌片５ａ上に前記雄面ファスナー部材４ａに対応する雌面ファスナー３ａを設けた手袋である。
【００２８】
本実施例６に係る手袋は、指袋部１の左側面１０において係合される雌面ファスナー３ａ及び雄面ファスナー４ａの係合を解除することによって、指の長手方向に平行する切込みが現れ、該切込みから指を露出する構成である。
【００２９】
尚、本実施例１及び実施例２においては、切込み２の位置を第一関節近傍位置としたが、本考案はこれに限るものではなく、例えば、第ニ関節位置に設けることもできるし、指付根部位置に設けることもできる。
【００３０】
また、本願考案における係止具３、４は、実施例１に開示した雌面ファスナーと雄面ファスナーとの組合せや、実施例３の起毛生地やパイル生地と、雄面ファスナーとの組合せに限られず、例えば、雌雄のスナップボタンの組合せや、その他係脱可能なフックとループの組合せ等とすることもできる。
【００３１】
更に、実施例のように、指袋部１の甲側先端若しくは掌側先端の係止具に対応する係止具の位置としては、甲側若しくは掌側の第一関節から指付根部の間に限られず、例えば甲部や掌部に設けることもできる。
【図面の簡単な説明】
【００３２】
【図１】本考案の実施例１に係る手袋を示す正面図である。
【図２】本考案の実施例１に係る手袋を示す左側面図である。
【図３】本考案の実施例２に係る手袋を示す左側面図である。
【図４】本考案の実施例３に係る手袋を示す左側面図である。
【図５】本考案の実施例４に係る手袋を示す正面図である。
【図６】本考案の実施例５に係る手袋を示す左側面図及び開放状態における一部拡大説明図である。
【図７】本考案の実施例４に係る手袋から指先を露出した状態を示す正面図である。
【符号の説明】
【００３３】
１      指袋部
１ａ    指袋部（拇指用）
１ｂ    指袋部（食指用）
２      切込み
２ａ    切込み（拇指用）
２ｂ    切込み（食指用）
２ｃ    切込み
２ｄ    切込み
３      係合具
３ａ    係止具（雌面ファスナー）
３ｂ    パイル生地
４      係合具
４ａ    係止具（雄面ファスナー）
４ｂ    雄面ファスナー
５ａ    舌片
５ｂ    舌片
７０    拇指
７１    食指
【図１】
0003102927.tif 000003
【図２】
0003102927.tif 000004
【図３】
0003102927.tif 000005
【図４】
0003102927.tif 000006
【図５】
0003102927.tif 000007
【図６】
0003102927.tif 000008
【図７】
0003102927.tif 000009